【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
方法であって、
デバイスの非一時的コンピュータ可読記憶媒体に実装されたロジックによって、ユーザによって保持されるデバイスの領域を決定すること、
前記ロジックによって、前記デバイスのタッチ感知領域内でのユーザによるタッチ・ジェスチャの位置と、ユーザによって保持されたデバイスの決定した領域からタッチ位置の距離とを決定すること、
前記ロジックによって、前記デバイス上に予めロードされている複数の所定のオフセットのうちの１つを、前記タッチ感知領域内の前記タッチ・ジェスチャの位置および決定した距離に基づいて前記タッチ・ジェスチャに関して選択することであって、前記複数の所定のオフセットは、前記デバイスの少なくとも１つの物理的特徴を含み、前記複数の所定のオフセットは、前記少なくとも１つの物理的特徴を有するデバイスの複数のユーザによる使用法に関するデバイス特有の経験的データから取得される、前記選択すること、
前記ロジックによって、選択した所定のオフセットを前記タッチ・ジェスチャの位置に適用して、ユーザによって意図されるタッチ入力を決定することを備える、方法。
【請求項２】
前記複数の所定のオフセットのそれぞれが、前記デバイスの前記タッチ感知領域内の位置に対応する、請求項１に記載の方法。
【請求項３】
前記複数の所定のオフセットのそれぞれが、水平または垂直成分を有する、請求項１または２に記載の方法。
【請求項４】
前記デバイスが前記ユーザによって保持されるとき、前記垂直成分が、前記ユーザによって保持された前記デバイスの領域からの前記タッチ・ジェスチャの決定した位置の距離に少なくとも部分的に基づく、請求項３に記載の方法。
【請求項５】
前記複数の所定のオフセットのうちの少なくとも１つが、
前記デバイスの向き、
前記デバイスが経験した動き、
前記デバイスを保持するためにユーザによって使用された手、および
前記タッチ・ジェスチャを行うためにユーザによって使用された１本もしくは複数の指のうちの１つまたは複数に関する、請求項１〜４のいずれか１項に記載の方法。
【請求項６】
前記ロジックによって、タッチ入力を決定するための前記デバイス上に予めロードされた前記所定のオフセットの使用を含む第１のタッチ・モード、前記ユーザによる前記デバイスの使用法に適用される機械学習から導き出される他の所定のオフセットの使用を含む第２のモード、前記第１のタッチ・モードと前記第２のモードの両方で使用されるオフセットの使用を含む第３のタッチ・モードの複数のタッチ・モード間で、前記デバイスを切り替えるための入力を受け取ること、
該入力に応答して、前記複数のタッチ・モードのうちの１つから前記複数のタッチ・モードのうちの別の１つへ切り替えをすること、をさらに備える、請求項１〜５のいずれか１項に記載の方法。
【請求項７】
前記第２のモードの前記複数の所定のオフセットのうちの少なくとも１つが、
前記デバイスの向き、
前記デバイスが経験した動き、
前記デバイスを保持するためにユーザによって使用された手、および
前記タッチ・ジェスチャを行うためにユーザによって使用された１本もしくは複数の指のうちの１つまたは複数を含む、請求項６に記載の方法。
【請求項８】
１つまたは複数の非一時的コンピュータ可読記憶媒体であって、
実行されたときに、
ユーザによって保持されるデバイスの領域を決定すること、
デバイスのタッチ感知領域内でのユーザによるタッチ・ジェスチャの位置と、ユーザによって保持されたデバイスの決定した領域からタッチ位置の距離とを決定すること、
前記デバイス上に予めロードされている複数の所定のオフセットのうちの１つを、前記タッチ感知領域内のタッチ・ジェスチャの位置および決定した距離に基づいて前記タッチ・ジェスチャに関して選択することであって、前記複数の所定のオフセットは、前記デバイスの少なくとも１つの物理的特徴を含み、前記複数の所定のオフセットは、前記少なくとも１つの物理的特徴を有するデバイスの複数のユーザによる使用法に関するデバイス特有の経験的データから取得される、前記選択すること、
選択した所定のオフセットを前記タッチ・ジェスチャの位置に適用して、ユーザによって意図されるタッチ入力を決定することを実施するように動作可能であるソフトウェアを実装する１つまたは複数の非一時的コンピュータ可読記憶媒体。
【請求項９】
前記複数の所定のオフセットのそれぞれが、前記デバイスの前記タッチ感知領域内の位置に対応する、請求項８に記載の１つまたは複数の非一時的コンピュータ可読記憶媒体。
【請求項１０】
前記複数の所定のオフセットのそれぞれが、水平または垂直成分を含む、請求項８または９に記載の１つまたは複数の非一時的コンピュータ可読記憶媒体。
【請求項１１】
ユーザによって前記デバイスが保持された場合、前記垂直成分は、前記ユーザによって保持されたデバイスの領域から前記タッチ・ジェスチャの決定した位置の距離に少なくとも部分的に基づく、請求項１０に記載の１つまたは複数の非一時的コンピュータ可読記憶媒体。
【請求項１２】
前記複数の所定のオフセットのうちの少なくとも１つが、
前記デバイスの向き、
前記デバイスが経験した動き、
前記デバイスを保持するためにユーザによって使用された手、および
前記タッチ・ジェスチャを行うためにユーザによって使用された１本もしくは複数の指のうちの１つまたは複数を含む、請求項８〜１０のいずれか１項に記載の１つまたは複数の非一時的コンピュータ可読記憶媒体。
【請求項１３】
前記ソフトウェアが、前記実行されたときに、
タッチ入力を決定するための前記デバイス上に予めロードされた前記所定のオフセットの使用を含む第１のタッチ・モード、前記ユーザによる前記デバイスの使用法に適用される機械学習から導き出される他の所定のオフセットの使用を含む第２のモード、前記第１のタッチ・モードと前記第２のモードの両方で使用されるオフセットの使用を含む第３のタッチ・モードの複数のタッチ・モード間で、前記デバイスを切り替えるための入力を受け取り、
該入力に応答して、前記複数のタッチ・モードのうちの１つから前記複数のタッチ・モードのうちの別の１つへ切り替えをするようにさらに動作可能である、請求項８〜１２のいずれか１項に記載の１つまたは複数の非一時的コンピュータ可読記憶媒体。
【請求項１４】
第２のモードの前記複数の所定のオフセットのうちの少なくとも１つが、
前記デバイスの向き、
前記デバイスが経験した動き、
前記デバイスを保持するためにユーザによって使用された手、および
前記タッチ・ジェスチャを行うためにユーザによって使用された１本もしくは複数の指のうちの１つまたは複数に関する、請求項１３に記載の１つまたは複数の非一時的コンピュータ可読記憶媒体。
【請求項１５】
システムであって、
１つまたは複数のプロセッサと、
前記１つまたは複数のプロセッサに結合され、前記１つまたは複数のプロセッサによって実行可能な命令を備えるメモリと
を備えるシステムであって、
前記１つまたは複数のプロセッサは、前記命令を実行したときに、
ユーザによって保持されるデバイスの領域を決定すること、
デバイスのタッチ感知領域内でのユーザによるタッチ・ジェスチャの位置と、決定されたユーザによって保持されたデバイスの領域からタッチ位置の距離とを決定すること、
前記デバイス上に予めロードされている複数の所定のオフセットのうちの１つを、前記タッチ感知領域内のタッチ・ジェスチャの位置および決定した距離に基づいて前記タッチ・ジェスチャに関して選択することであって、前記複数の所定のオフセットは、前記デバイスの少なくとも１つの物理的特徴を含み、前記複数の所定のオフセットは、前記少なくとも１つの物理的特徴を有するデバイスの複数のユーザによる使用法に関するデバイス特有の経験的データから取得される、前記選択すること、
選択した所定のオフセットを前記タッチ・ジェスチャの位置に適用して、ユーザによって意図されるタッチ入力を決定することを実施するように動作可能である、システム。
【請求項１６】
前記オフセットが、前記デバイスの前記タッチ感知領域内の位置に対応する、請求項１５に記載のシステム。
【請求項１７】
前記複数の所定のオフセットのそれぞれが、水平または垂直成分を有する、請求項１５または１６に記載のシステム。
【請求項１８】
前記複数の所定のオフセットのうちの少なくとも１つが、
前記デバイスの向き、
前記デバイスが経験した動き、
前記デバイスを保持するためにユーザによって使用された手、および
前記タッチ・ジェスチャを行うためにユーザによって使用された１本もしくは複数の指のうちの１つまたは複数を含む、請求項１５〜１７のいずれか１項に記載のシステム。
【請求項１９】
前記１つまたは複数のプロセッサは、前記命令が実行されたときに、
タッチ入力を決定するための前記デバイス上に予めロードされた前記所定のオフセットの使用を含む第１のタッチ・モード、前記ユーザによる前記デバイスの使用法に適用される機械学習から導き出される他の所定のオフセットの使用を含む第２のモード、前記第１のタッチ・モードと前記第２のモードの両方で使用されるオフセットの使用を含む第３のタッチ・モードの複数のタッチ・モード間で、前記デバイスを切り替えるための入力を受け取り、
該入力に応答して、前記複数のタッチ・モードのうちの１つから前記複数のタッチ・モードのうちの別の１つへ切り替えをするようにさらに動作可能である、請求項１５〜１８のいずれか１項に記載のシステム。
【請求項２０】
第２のモードの前記複数の所定のオフセットのうちの少なくとも１つが、
前記デバイスの向き、
前記デバイスが経験した動き、
前記デバイスを保持するためにユーザによって使用された手、および
前記タッチ・ジェスチャを行うためにユーザによって使用された１本もしくは複数の指のうちの１つまたは複数に関する、請求項１９に記載のシステム。